(57)【要約】【課題】簡単な構成で小型軽量化を図ることができ、分流比を大きくすることができる電流分流器を提供する。【解決手段】平板状または立体状をなした導電性部材からなり、その導電性部材によって、被測定電流を流入および流出するための２つの入力端子１０Ａ、１０Ａと、内部抵抗を持つ計測器の両端に接続される２つの出力端子１０Ｂ、１０Ｂと、を有する４端子網から成る回路が構成される。この回路内は分流するための接続点（節）が無く、被測定電流を分流比の逆数が１００万分の一倍近いオーダとなるように分流しての、測定が可能である。【選択図】  図１
2010096755.tif 000002
【特許請求の範囲】
【請求項１】
電気計測を行う計測器に対して並列に接続されて、被測定電流の分流を行う電流分流器であって、
平板状または立体状をなした導電性部材からなり、その導電性部材によって、被測定電流を流入および流出するための２つの入力端子と、内部抵抗を持つ計測器の両端に接続されるための２つの出力端子と、を有する４端子網から成る回路が構成されることを特徴とする電流分流器。
【請求項２】
前記４端子網から成る回路は、節となる接続点が無いことを特徴とする請求項１記載の電流分流器。
【請求項３】
前記回路は、２つの入力端子間を最短経路で延びる第１ブロック部と、第１ブロック部から各出力端子までそれぞれ延びる２つの第２ブロック部と、を少なくとも有していることを特徴とする請求項１または２記載の電流分流器。
【請求項４】
前記第１ブロック部を構成する第１材料と、第２ブロック部を構成する第２材料とは、異なる材料からなり、第１材料と第２材料とが互いに接合されて回路を構成することを特徴とする請求項３記載の電流分流器。
【請求項５】
前記第１材料よりも第２材料の方が導電性が高いことを特徴とする請求項４記載の電流分流器。
【請求項６】
２つの第２ブロック部の間に渡って第３ブロック部が形成され、第３ブロック部によって、第１ブロック部と２つの第２ブロック部で囲まれる領域に少なくとも１つの空間が形成されることを特徴とする請求項３ないし５のいずれか１項に記載の電流分流器。
【請求項７】
前記第３ブロック部は複数形成され、第１ブロック部と２つの第２ブロック部で囲まれる領域に少なくとも２つの空間が形成されることを特徴とする請求項６記載の電流分流器。
【発明の詳細な説明】
【技術分野】
【０００１】
本発明は、被測定電流の電気計測を行う計測器に対して並列に接続されて、被測定電流を分流する電流分流器に関する。
【背景技術】
【０００２】
従来、電力機器、情報通信機器、制御機器、計測機器等の状態監視や計測などに用いられる例えばアナログ電流計のような計測器のレンジを拡大するために、分流器が用いられている。この分流器は、計測器に並列接続して、被測定電流の一部を分流比（電流計の内部抵抗と並列抵抗との比）によって分流し、分流比を基に被測定電流を計測するものである。
【０００３】
従来の電流計測の基本原理を図１０に示す。図において、ｒは電流計の内部抵抗であり、Ｒは分流器の抵抗である。
【０００４】
この図から分流器は電流計に並列に接続され、倍率Ｎ（被測定電流Ｉを、電流計を流れる電流Ｉｍで除した値、以下「分流比」とも言う）は、電流計の内部抵抗ｒを分流器の抵抗Ｒで除した値で決定される。
【０００５】
【数１】
2010096755.tif 000003
【０００６】
上式から、電流計の内部抵抗より小さい抵抗（ｒ≫Ｒ）を持つ分流器を接続することによって、倍率または分流比を極めて大きくすることができ、被測定電流が大電流である場合であっても、計測器を流れる電流を適切な範囲として、測定を行うことができるようになる。
【０００７】
しかしながら、従来の分流器において抵抗として使用される導電性金属抵抗体（例えば、抵抗温度係数の小さい、マンガニン、ニクロム等）では抵抗値の限界があるため、倍率を大きくするのには限界がある。
【０００８】
そのため、従来の分流器において、例えば、低抵抗の板状の導電材料を並列に接続して分流するものが広く使用されている（例えば、非特許文献１）。
【０００９】
また、分流器でないものの、分流器的な考えを利用した漏電検出器が特許文献１で提案されている。この特許文献１で示される漏電検出器では、電力線を平板状として、これの側縁に張出状の分流導線を付設するか或いは、これの平面部に空隙を設けて一部を分流導線となしている。さらには、特許文献１では、この分流導線に抵抗調整手段を設け、分流比と電力損失と放熱比の三つを等しくなるようにして、かつ分流導線の絶対値の正確性を必要とするものではないと記載している。このため、電力線および分流線の抵抗調整手段でそれらを削除する例を挙げている。
【先行技術文献】
【特許文献】
【００１０】
【特許文献１】特開平９−１７１０４９  (第４頁、図１から図５）
【非特許文献】
【００１１】
【非特許文献１】横河メータ＆インスツルメント株式会社  分流器  形式２２１７（5000A）Web.カタログ、インターネット<URL: http://www.yokogawa.com/jp-mcc/gmi/meter/gmi-acc-001-jp.htm>
【発明の概要】
【発明が解決しようとする課題】
【００１２】
しかしながら、非特許文献１のように汎用されている分流器は、電流計等の計測器に対して並列に接続されるための２端子を持つのみである。そして、低抵抗の板状の導電材料あるいは線状の低抵抗を並列に複数接続して並列抵抗値を計測器の内部抵抗より小さくしてあるため、接続するための接触抵抗を考慮して接触面積を大きく、さらに組み立てのときの押し付け圧力も考慮しなければならない。また、数kＡ（キロアンペアー）の分流で計測器と併用して用いられている。さらに、形状が大きく小型化が求められ、かつ分流比の拡大、小型化、低価格ならびに生産性の向上が要求されている。
【００１３】
また、特許文献１で示されるものは、分流器ではなく、対称３相交流電源における線電流の一部を分流するもので計測器を接続できないため、従来の分流器とは異なるものである。さらに、一例に挙げられているように削除することで抵抗の調整を行っているため、正確性ならびに生産性に乏しい。
【００１４】
近年において、パルス性大電流の計測が電力機器の劣化診断において重要な課題となっているため、パルス性大電流分流器の開発が不可欠となっている。しかし、既存の分流器を併用してのパルス性大電流の計測は周波数応答特性が低いためパルス性の測定は困難である。
【００１５】
本発明はかかる課題に鑑みなされたもので、簡単な構成で小型軽量化を図ることができる電流分流器を提供することをその目的とする。
【課題を解決するための手段】
【００１６】
上記の課題を解決するために、本発明は、電気計測を行う計測器に対して並列に接続されて、被測定電流の分流を行う電流分流器であって、
平板状または立体状をなした導電性部材からなり、その導電性部材によって、被測定電流を流入および流出するための２つの入力端子と、内部抵抗を持つ計測器の両端に接続されるための２つの出力端子と、を有する４端子網から成る回路が構成されることを特徴とする。
【００１７】
請求項２記載の発明は、請求項１記載の電流分流器において、前記４端子網から成る回路は、節となる接続点が無いことを特徴とする。
【００１８】
請求項３記載の発明は、請求項１または２記載の電流分流器において、前記回路は、２つの入力端子間を最短経路で延びる第１ブロック部と、第１ブロック部から各出力端子までそれぞれ延びる２つの第２ブロック部と、を少なくとも有していることを特徴とする。
【００１９】
請求項４記載の発明は、請求項３記載の電流分流器において、前記第１ブロック部を構成する第１材料と、第２ブロック部を構成する第２材料とは、異なる材料からなり、第１材料と第２材料とが互いに接合されて回路を構成することを特徴とする。
【００２０】
請求項５記載の発明は、請求項４記載の電流分流器において、前記第１材料よりも第２材料の方が導電性が高いことを特徴とする。
【００２１】
請求項６記載の発明は、請求項３ないし５のいずれか１項に記載の電流分流器において、２つの第２ブロック部の間に渡って第３ブロック部が形成され、第３ブロック部によって、第１ブロック部と２つの第２ブロック部で囲まれる領域に少なくとも１つの空間が形成されることを特徴とする。
【００２２】
請求項７記載の発明は、請求項６記載の電流分流器において、前記第３ブロック部は複数形成され、第１ブロック部と２つの第２ブロック部で囲まれる領域に少なくとも２つの空間が形成されることを特徴とする。
【発明の効果】
【００２３】
この平板状または立体状をなした導電性部材の分流器は、従来のように計測器に並列に接続される２端子のみを持つ分流器と異なり、４端子網を構成しているため、計測器への取付が容易で、且つ軽量・小型化することができる。そして、分流比を極めて高くすることができ、応答性も高く、しかも製作が容易である。よって、大電流の被測定電流も測定することができるようになる。さらに、出力端子から内部回路をみたインピーダンスまたは抵抗が極めて低いため、被測定電流の電圧を計測器（例えば、オシロスコープ、電圧計など）で測定する場合、これらの計測器の入力インピーダンスまたは抵抗が内部回路のインピーダンスと比較して極めて高い値となるため、内部回路に影響を及ぼすことが少なく測定できる。
【図面の簡単な説明】
【００２４】
【図１】（ａ）、（ｂ）は本発明による電流分流器を表す鳥瞰的概略図であり、（ｃ）はその等価回路を示す。
【図２】実施測定回路図である。
【図３】本発明による電流分流器の特性図であり、その一部の長さと分流比の逆数（分流された電流を被測定電流で除した値）との関係を表す図である。
【図４】本発明の他の実施形態を表す平面図である。
【図５】本発明のさらに別の実施形態を表す平面図である。
【図６】本発明のさらに別の実施形態を表す図である。
【図７】本発明の電流分流器を用いた応用例を表す説明図である。
【図８】本発明の電流分流器を用いた別の応用例を表す説明図である。
【図９】本発明の電流分流器を用いたさらに別の応用例を表す説明図である。
【図１０】分流器を用いた電流測定の基本原理を表す図である。
【発明を実施するための形態】
【００２５】
以下、図面を用いて本発明の実施形態を説明する。
図１は、本発明による電流分流器の一例の概観図と基本等価回路である。本発明の電流分流器１０は、平板状または立体状をなした導電性部材から構成され、被測定電流を流入および流出するための２つの入力端子１０Ａ、１０Ａと、分流されて内部抵抗を持つ計測器の両端に接続される２つの出力端子１０Ｂ、１０Ｂと、を有する４端子網から成る回路が構成される。
【００２６】
これらの導電性部材は、金属板または金属ブロックを所定の形に切断または切削することで製造することができ、または、後述のようにエッチングによって製造することもできる。
【００２７】
図１において、電流分流器１０は、２つの入力端子１０Ａ、１０Ａの間を最短経路で延設された第１ブロックＢ１と、第１ブロックＢ１に対して直交して、それぞれ出力端子１０Ｂ、１０Ｂへと延設された第２ブロックＢ２と、第１ブロックＢ１の延設方向に平行且つ第２ブロックＢ２の延設方向に直交する第３ブロックＢ３と、を備えており、この例では、第３ブロックＢ３は２つ形成されている。但し、後述のように、第３ブロックＢ３の数は任意であり、また省略することも可能である。
【００２８】
第１ブロックＢ１、第２ブロックＢ２、第３ブロックＢ３は、平板状であり互いにそれぞれ節となるような接続点が無く、連続して繋がっている。そして、これらのブロックの間には空間Ｓ１、Ｓ２が形成されている。
【００２９】
図１（ｂ）に示すように、被測定電流が流入及び流出する部分となる第１ブロックＢ１は長さａ、幅ｂ、厚みｄ１となっている。また、被測定電流が分流されて流れる部分となる第２ブロックＢ２は、幅ｃ、厚みｄ２となっており、第３ブロックＢ３は幅ｃ、厚みｄ２となっている。厚みｄ１と厚みｄ２は同じであってもよいが、異なっていてもよく、好ましくは、ｄ１＞ｄ２である。
【００３０】
また、図において、Ｌ１、Ｌ２、Ｌ３、Ｌ４は、被測定電流が分流されて流れる第２ブロックＢ２、第３ブロックＢ３をそれぞれ抵抗として考えたときの各要素の長さであり、Ｌ４は第２ブロックＢ２の全長となる。
【００３１】
図１（ｃ）は、電流分流器の等価回路を上記抵抗で表したものであり、空間Ｓ１は、Ｒ３，Ｒ４，Ｒ６，Ｒ５で囲まれた部分となり、空間Ｓ２はＲ６，Ｒ７，Ｒ９，Ｒ８で包まれた部分となる。被測定電流は、例えば抵抗Ｒ１側の入力端子１０Ａから流入すれば抵抗Ｒ２側の入力端子１０Ａから流出し、主として抵抗Ｒ１，Ｒ３，Ｒ２で表される第１ブロックＢ１の部分を流れる。抵抗Ｒ４，Ｒ５，Ｒ６，Ｒ７，Ｒ８，Ｒ９は、被測定電流の分流分が流れる第２ブロックＢ２、第３ブロックＢ３の各要素の抵抗である。また、抵抗Ｒ１０およびＲ１１は、計測器に接続する端子部分の抵抗となる。また、抵抗Ｒ０は、電圧計、電流計といった計測器を接続した場合の計測器の内部抵抗などを表す負荷である。
【００３２】
入力端子１０Ａ、１０Ａと被測定電流が流れる導線、出力端子１０Ｂ、１０Ｂと計測器の端子とのそれぞれの接続に関しては、公知の任意の方法により行うことができる。
【００３３】
このように平板状または立体状をなした導電性部材から構成される電流分流器においては、平板状または立体状をなした導電性部材の抵抗を、抵抗Ｒ０に比較して充分に小さくすることができるため、分流比を１／１０-6程度のオーダの非常に大きい値にすることができるようになる。この分流比は、計測器の抵抗Ｒ０が変化しても、同程度の分流比を確保することが可能である。
【００３４】
そして、４端子網を構成しているため、計測器への取付が容易で、且つ軽量・小型化することができる。
【００３５】
計測器が電流計である場合には、計測された電流に分流比を掛けることで、被測定電流を計測することができる。また、計測された電流に内部抵抗を掛けることで、抵抗Ｒ３の両端部分間の電圧を計測することができる。
【００３６】
この電流分流器は、直流、交流、急峻波のようなインパルスなどの被測定電流に対して適用可能であり、その周波数応答特性も高いものとすることができる。
【００３７】
図４は、他の実施形態を表している。図４（ａ）の例では、第３ブロックＢ３が１つとなっており、よって、空間Ｓ１のみとなっている。また、図４（ｂ）の例では、第３ブロックＢ３に対応する部分を省略している。図４の例において、第２ブロックＢ２の延設方向長さＬ２は、性能に影響しないが、Ｌ１の大きさを大きくすると、分流比がより大きくなる傾向となる。このような構成であっても、同様に作用させることができ、４端子網を構成しているため、計測器への取付が容易で、且つ軽量・小型化することができる。
【００３８】
図５の例は、第１ブロックＢ１の部分と、第２ブロックＢ２及び必要に応じて設ける第３ブロックＢ３との素材を異なる材料から構成した例である。材料の組み合わせとしては、例えば、銅とアルミニウム、といった組み合わせとし、これらを圧接接合することにより、２つのブロックの界面を連続的に繋ぐことができる。２つの材料を使用する場合、その界面を材質の変化なく、連続的に繋ぐことが重要である。例えば、溶融接合を行うと、接合面に脆い金属化合物の金属膜が生成され、機械的強度の劣化、抵抗の変動等の影響を起こす可能性がある。よって、固相接合法が適している。
【００３９】
好ましくは、第１ブロックＢ１の材料の導電率が第２ブロックＢ２（及び第３ブロックＢ３）の材料の導電率よりも高くなるようにすると、分流比を一層大きくすることができる。または、第１ブロックＢ１の材料の導電率が第２ブロックＢ２（及び第３ブロックＢ３）の材料の導電率よりも低くなるようにして、分流比を調整するようにしてもよい。
【００４０】
また、本発明の電流分流器の平板状または立体状をなした導電性部材は、エッチングを用いて基板上に形成された金属膜で構成することも可能である。具体的には、金属膜が形成された基板に対してフォトレジストを塗装し、所望のパターンの焼き付け・現像を行って、パターン以外の部分のフォトレジストを洗い流し、次いで、エッチングを行ってから、残ったフォトレジスト膜を除去して、所望の平板形状を基板上に形成する。これによって、基板上に電流分流器を形成することができるため、応用範囲が広がることとなる。
【００４１】
エッチングの他、蒸着などによって第１ブロック、第２ブロック、第３ブロックを形成することも可能であり、蒸着時間を調整することで、第１ブロックと、第２ブロック及び必要に応じて設ける第３ブロックＢ３の厚みを変えることも可能である。
【００４２】
また、本発明の電流分流器は、平板状をなした導電性部材から構成して、図６に示すように、これを丸めることにより、小型化することも可能である。出力端子１０Ｂ、１０Ｂ間の距離を大きくとることができれば、その間の電圧降下を大きくとることができて、その間の電圧測定が容易となる。
【００４３】
また、以上の例では、基本的に平板状をなした導電性部材から回路を構成した平板型電流分流器としていたが、平板状の第１ブロックＢ１の平板面に対して平板状の第２ブロックＢ２が直交する方向に延設されていてもよく、第２ブロックＢ２の平板面に対して任意の形状の第３ブロックＢ３が直交する方向に延設されていてもよく、このように立体状となった導電性部材から４端子網回路を構成してもよい。
【００４４】
さらに、本発明の電流分流器は、様々な応用が可能である。
図７は、その一つの応用例を示す。図７（ａ）に示した例は、計測器が、発光素子２２と受光素子２４とを有するフォトカプラ２０を含むようにした例である。発光ダイオード等の発光素子２２を前記電流分流器１０の出力端子１０Ｂ，１０Ｂに接続する。発光素子２２からの光をフォトトランジスタ等の受光素子２４で受光し、その電圧を電圧計２６で測定することで、またはＡ／Ｄ変換してコンピュータで取り込むことで、被測定電流の強度を測定することができる。図７（ｂ）に示すように、発光素子２２と受光素子２４とを分離し、それらの間を光ファイバ２８で結ぶことにより、遠隔での被測定電流の測定も可能となる。
【００４５】
分流比が大きいため、被測定電流が大電流であっても、発光素子を破壊しない程度の分流電流で発光素子を動作させることが可能になる。尚、分流比が大きすぎる場合には、図７（ｃ）に示すように発光素子２２と電流分流器１０との間に増幅器３０を配設することも可能である。
【００４６】
または、図８に示すように、計測器として、送信機４０と、送信アンテナ４２と、受信アンテナ４４と、受信機４６とを含み、送信機４０で、分流電流の電圧を電圧／周波数変換をし、または、送信機４０で、分流電流の電圧によって変調を行って、それを送信アンテナ４２から電波で送信し、これを受信アンテナ４４で受信して、受信機４６で処理することにより、遠隔での被測定電流の測定を行うことも可能である。
【００４７】
または、図９に示すように、三相交流電流に対して、それぞれの電力線に本発明の分流電流器を接続することができ、各電力線からの分流電流をデジタル計測器５０で計測した後、論理回路５２に入力して、それぞれの電流の加算及び／又は比較をすることで、三相交流電流のＡ、Ｂ、Ｃ相のうちのいずれかの電力線に漏電が発生していることを検出することができる。これによって、漏電検出機能を持たせることができ、小型で簡単に構成可能な漏電検出器を実現することができる。
【実施例】
【００４８】
図１で示した電流分流器に対して図２に示した実験回路を用いて、以下の実験を行った。
【００４９】
各寸法はａ＝５０ｍｍ，  ｂ＝２０ｍｍ，    ｃ＝５ｍｍ，  Ｌ３＝２０ｍｍ，  Ｌ４＝８０ｍｍとし，  Ｌ１を５ｍｍ〜２０ｍｍ、  Ｌ２を５ｍｍ〜５０ｍｍの範囲内で５ｍｍごとに変化させた２６種類の電流分流器を作成した。
【００５０】
電源Ｅは市販のアルカリ乾電池（ＬＲ２０／１．５Ｖ）を用いて電源電圧を１．５，  ３．０，  ４．５Ｖとし測定を行った。電流測定にはガルバノメータ（横河電機  ＴＹＰＥ  ２７０８  ０．９μＡ／ｄｉｖ．）を、実験回路内の電圧測定には標準抵抗１Ω（横河電気  ＴＹＰＥ  ２７９２）とディジタルオシロスコープ（Ｔｅｋｔｒｏｎｉｘ  ５０５２）、低圧プローブ（Ｔｅｋｔｒｏｎｉｘ  Ｐ５０５２）をそれぞれ使用した。
【００５１】
測定にあたっては、ジュール熱の発生を考慮して短時間（約５秒以内）で電流計測を行った。実験環境は、常温（２０〜２３℃）で行った。電源と分流器との接続はワニ口クリップを用いて、開閉操作を行い電流計測を行った。
【００５２】
電流分流器の材質は薄銅で、厚さｄ１，ｄ２＝約６μｍである。
【００５３】
図３は、電源電圧を１．５Ｖとした場合の、分流器の特性結果を示す。ここでの比率は分流された電流を被測定電流で除した値である。比率は０．０６４〜０．６９７×１０-6であり、被測定電流を約１／１００万倍に分流していることになる。電源電圧を３．０Ｖ、４．５Ｖとしても同程度の約１／１００万倍の分流が得られることを確認した。
【産業上の利用可能性】
【００５４】
本発明による電流分流器は電気工学の各分野（高電圧、低電圧、通信、制御、医療など）における電流等の電気計測に適用できる。具体的には、鉄道、変電所、圧延機のモータなどの電流監視などにも使用可能である。
【符号の説明】
【００５５】
１０  電流分流器
１０Ａ、１０Ａ  入力端子
１０Ｂ、１０Ｂ  出力端子
Ｂ１  第１ブロック
Ｂ２  第２ブロック
Ｂ３  第３ブロック
Ｓ１、Ｓ２  空間
【図１】
2010096755.tif 000004
【図２】
2010096755.tif 000005
【図３】
2010096755.tif 000006
【図４】
2010096755.tif 000007
【図５】
2010096755.tif 000008
【図６】
2010096755.tif 000009
【図７】
2010096755.tif 000010
【図８】
2010096755.tif 000011
【図９】
2010096755.tif 000012
【図１０】
2010096755.tif 000013